【手続補正書】
【提出日】平成22年3月26日(2010.3.26)
【手続補正１】
【補正対象書類名】特許請求の範囲
【補正対象項目名】全文
【補正方法】変更
【補正の内容】
【特許請求の範囲】
【請求項１】
第１の入力電圧を受けて、第１の出力電圧を出力する第１の差動増幅回路と、
第２の入力電圧を受けて、第２の出力電圧を出力する第２の差動増幅回路と、
第１および第２のモードのうちいずれか一方を選択する制御部と、
前記制御部によって前記第１のモードが選択されると前記第１の差動増幅回路によって出力された第１の出力電圧を出力ノードに供給し、前記制御部によって前記第２のモードが選択されると前記第２の差動増幅回路によって出力された第２の出力電圧を前記出力ノードに供給する出力部とを備え、
前記制御部は、前記第１のモードを選択しているときに、前記第１の差動増幅回路の駆動能力を高める
ことを特徴とする駆動電圧制御装置。
【請求項２】
請求項１において、
前記第１の差動増幅回路の駆動能力を高める期間は、前記制御部が前記第１のモードを選択し続ける期間よりも短い
ことを特徴とする駆動電圧制御装置。
【請求項３】
請求項１において、
前記制御部は、前記第１のモードを選択しているときに、前記出力ノードにおける電圧の電圧値に応じて、前記第１の差動増幅回路の駆動能力を高める
ことを特徴とする駆動電圧制御装置。
【請求項４】
請求項３において、
前記制御部は、前記第１のモードを選択しているときに、前記出力ノードにおける電圧が第１の電圧値に達するまでの間、前記第１の差動増幅回路の駆動能力を高める
ことを特徴とする駆動電圧制御装置。
【請求項５】
請求項４において、
前記制御部は、
前記第１および第２のモードのうちいずれか一方を選択するモード選択部と、
前記出力ノードにおける電圧と前記第１の電圧値を有する第１の比較電圧とを比較する比較部と、
前記モード選択部が選択するモードと前記比較部による比較結果とに応じて、前記第１の差動増幅回路の駆動能力を高める能力調整部とを含む
ことを特徴とする駆動電圧制御装置。
【請求項６】
請求項５において、
前記第１の出力電圧の電圧値は、前記第２の出力電圧の電圧値よりも高く、
前記能力調整部は、前記モード選択部によって前記第１のモードが選択され、かつ、前記比較部によって前記出力ノードにおける電圧が前記第１の比較電圧よりも低いと判断されると、前記第１の差動増幅回路の駆動能力を高める
ことを特徴とする駆動電圧制御装置。
【請求項７】
請求項５において、
前記第１の出力電圧の電圧値は前記第２の出力電圧の電圧値よりも低く、
前記能力調整部は、前記モード選択部によって前記第１のモードが選択され、かつ、前記比較部によって前記出力ノードにおける電圧が前記第１の比較電圧よりも高いと判断されると、前記第１の差動増幅回路の駆動能力を高める
ことを特徴とする駆動電圧制御装置。
【請求項８】
請求項１において、
前記制御部は、前記第１のモードを選択しているときに、前記第１の差動増幅回路の駆動能力を高め、前記第２のモードを選択しているときに、前記第２の差動増幅回路の駆動能力を高める
ことを特徴とする駆動電圧制御装置。
【請求項９】
請求項８において、
前記第１の差動増幅回路の駆動能力を高める期間は、前記制御部が前記第１のモードを選択し続ける期間よりも短く、
前記第２の差動増幅回路の駆動能力を高める期間は、前記制御部が前記第２のモードを選択し続ける期間よりも短い
ことを特徴とする駆動電圧制御装置。
【請求項１０】
請求項８において、
前記制御部は、前記第１のモードを選択しているときに、前記出力ノードにおける電圧の電圧値が第１の電圧値に達するまでの間、前記第１の差動増幅回路の駆動能力を高め、前記第２のモードを選択しているときに、前記出力ノードにおける電圧の電圧値が第２の電圧値に達するまでの間、前記第２の差動増幅回路の駆動能力を高める
ことを特徴とする駆動電圧制御装置。
【請求項１１】
請求項１０において、
前記制御部は、
前記第１および第２のモードのうちいずれか一方を選択するモード選択部と、
前記モード選択部によって選択されたモードに応じて、前記第１の電圧値を有する第１の比較電圧と前記第２の電圧値を有する第２の比較電圧とのうちいずれか一方を選択する電圧選択部と、
前記出力ノードにおける電圧と前記電圧選択部によって選択された電圧とを比較する比較部と、
前記モード選択部が選択するモードと前記比較部による比較結果とに応じて、前記第１または第２の差動増幅回路の駆動能力を高める能力調整部とを含む
ことを特徴とする駆動電圧制御装置。
【請求項１２】
請求項１１において、
前記第１の出力電圧の電圧値は、前記第２の出力電圧の電圧値よりも高く、
前記電圧選択部は、前記モード選択部によって前記第１のモードが選択されると、前記第１の比較電圧を選択し、前記モード選択部によって前記第２のモードが選択されると、前記第２の比較電圧を選択し、
前記能力調整部は、前記モード選択部によって前記第１のモードが選択され、かつ、前記比較部によって前記出力ノードにおける電圧が前記電圧選択部によって選択された電圧よりも低いと判断されると前記第１の差動増幅回路の駆動能力を高め、前記モード選択部によって前記第２のモードが選択され、かつ、前記比較部によって前記出力ノードにおける電圧が前記電圧選択部によって選択された電圧よりも高いと判断されると前記第２の差動増幅回路の駆動能力を高める
ことを特徴とする駆動電圧制御装置。
【請求項１３】
請求項１において、
前記第１の差動増幅回路は、
第１の差動ステージと、
第１の基準電圧を受ける第１の基準ノードと第２の基準電圧を受ける第２の基準ノードとの間に直列に接続される第１および第２の出力トランジスタと、
第１の調整トランジスタとを含み、
前記第１の出力トランジスタは、前記第１の基準ノードと前記第２の出力トランジスタとの間に接続され、前記第１の差動ステージの出力をゲートに受け、
前記第２の出力トランジスタは、前記第１の出力トランジスタと前記第２の基準ノードとの間に接続され、第１の電圧供給ノードに与えられる電圧をゲートに受け、
前記第１の差動ステージは、前記第１の出力トランジスタと前記第２の出力トランジスタとの第１の相互接続ノードにおける電圧と前記第１の入力電圧との差に応じた電圧値を有する電圧を出力し、
前記制御部は、前記第１のモードを選択しているときに、前記第１の調整トランジスタの接続状態を第１の接続状態にし、
前記第１の調整トランジスタは、前記第１の接続状態では、前記第１の基準ノードと前記第１の相互接続ノードとの間に接続され、前記第１の差動ステージの出力をゲートに受ける
ことを特徴とする駆動電圧制御装置。
【請求項１４】
請求項１において、
前記第１の差動増幅回路は、
第１の差動ステージと、
第１の基準電圧を受ける第１の基準ノードと第２の基準電圧を受ける第２の基準ノードとの間に直列に接続される第１および第２の出力トランジスタと、
第１の調整トランジスタとを含み、
前記第１の出力トランジスタは、前記第１の基準ノードと前記第２の出力トランジスタとの間に接続され、前記第１の差動ステージの出力をゲートに受け、
前記第２の出力トランジスタは、前記第１の出力トランジスタと前記第２の基準ノードとの間に接続され、第１の電圧供給ノードに与えられる電圧をゲートに受け、
前記第１の差動ステージは、前記第１の出力トランジスタと前記第２の出力トランジスタとの第１の相互接続ノードにおける電圧と前記第１の入力電圧との差に応じた電圧値を有する電圧を出力し、
前記制御部は、前記第１のモードを選択しているときに、前記第１の調整トランジスタの接続状態を第１の接続状態にし、
前記第１の調整トランジスタは、前記第１の接続状態では、前記第１の相互接続ノードと前記第２の基準ノードとの間に接続され、前記第１の電圧供給ノードに与えられる電圧をゲートに受ける
ことを特徴とする駆動電圧制御装置。
【請求項１５】
請求項１において、
前記第１の差動増幅回路は、
第１の基準電圧を受ける第１の基準ノードと第２の基準電圧を受ける第２の基準ノードとの間に直列に接続される第１および第２の入力トランジスタと、
前記第１の基準ノードと前記第２の基準ノードとの間に直列に接続される第３および第４の入力トランジスタと、
前記第２の入力トランジスタと前記第４の入力トランジスタとの第１の相互接続ノードと前記第２の基準ノードとの間に接続され、第１の電圧供給ノードに与えられる電圧をゲートに受ける第５の入力トランジスタと、
第１の調整トランジスタと、
第１の出力ステージとを含み、
前記第１の入力トランジスタは、前記第１の基準ノードと前記第２の入力トランジスタとの間に接続され、ゲートが当該第１の入力トランジスタのドレインに接続され、
前記第２の入力トランジスタは、前記第１の入力トランジスタと前記第１の相互接続ノードとの間に接続され、前記第１の出力ステージの出力をゲートに受け、
前記第３の入力トランジスタは、前記第１の基準ノードと前記第４の入力トランジスタとの間に接続され、ゲートが前記第１の入力トランジスタのゲートに接続され、
前記第４の入力トランジスタは、前記第３の入力トランジスタと前記第１の相互接続ノードとの間に接続され、前記第１の入力電圧をゲートに受け、
前記第１の出力ステージは、前記第３の入力トランジスタと前記第４の入力トランジスタとの第２の相互接続ノードにおける電圧に応じた電圧値を有する前記第１の出力電圧を出力し、
前記制御部は、前記第１のモードを選択しているときに、前記第１の調整トランジスタの接続状態を第１の接続状態にし、
前記第１の調整トランジスタは、前記第１の接続状態では、前記第１の相互接続ノードと前記第２の基準ノードとの間に接続され、前記第１の電圧供給ノードに与えられる電圧をゲートに受ける
ことを特徴とする駆動電圧制御装置。
【請求項１６】
請求項１３において、
前記第１の差動増幅回路は、第２の調整トランジスタをさらに含み、
前記制御部は、前記第１のモードを選択しているときに、前記第１の調整トランジスタの接続状態を前記第１の接続状態にし、かつ、前記第２の調整トランジスタの接続状態を第２の接続状態にし、
前記第２の調整トランジスタは、前記第２の接続状態では、前記第１の相互接続ノードと前記第２の基準ノードとの間に接続され、前記第１の電圧供給ノードに与えられる電圧をゲートに受ける
ことを特徴とする駆動電圧制御装置。
【請求項１７】
請求項１３において、
前記第１の基準電圧の電圧値は、前記第２の基準電圧の電圧値よりも高く、
前記第２の差動増幅回路は、
第２の差動ステージと、
第３の基準電圧を受ける第３の基準ノードと第４の基準電圧を受ける第４の基準ノードとの間に直列に接続される第３および第４の出力トランジスタと、
第２の調整トランジスタとを含み、
前記第３の基準電圧の電圧値は、前記第４の基準電圧の電圧値よりも低く、
前記第３の出力トランジスタは、前記第３の基準ノードと前記第４の出力トランジスタとの間に接続され、前記第２の差動ステージの出力をゲートに受け、
前記第４の出力トランジスタは、前記第３の出力トランジスタと前記第４の基準ノードとの間に接続され、第２の電圧供給ノードに与えられる電圧をゲートに受け、
前記第２の差動ステージは、前記第３の出力トランジスタと前記第４の出力トランジスタとの第２の相互接続ノードにおける電圧と前記第２の入力電圧との差に応じた電圧値を有する電圧を出力し、
前記制御部は、前記第１のモードを選択しているときに、前記第１の調整トランジスタの接続状態を前記第１の接続状態にし、前記第２のモードを選択しているときに、前記第２の調整トランジスタの接続状態を第２の接続状態にし、
前記第２の調整トランジスタは、前記第２の接続状態では、前記第３の基準ノードと前記第２の相互接続ノードとの間に接続され、前記第２の差動ステージの出力をゲートに受ける
ことを特徴とする駆動電圧制御装置。
【請求項１８】
請求項１４において、
前記第１の基準電圧の電圧値は前記第２の基準電圧の電圧値よりも高く、
前記第２の差動増幅回路は、
第２の差動ステージと、
第３の基準電圧を受ける第３の基準ノードと第４の基準電圧を受ける第４の基準ノードとの間に直列に接続される第３および第４の出力トランジスタと、
第２の調整トランジスタとを含み、
前記第３の基準電圧の電圧値は前記第４の基準電圧の電圧値よりも低く、
前記第３の出力トランジスタは、前記第３の基準ノードと前記第４の出力トランジスタとの間に接続され、前記第２の差動ステージの出力をゲートに受け、
前記第４の出力トランジスタは、前記第３の出力トランジスタと前記第４の基準ノードとの間に接続され、第２の電圧供給ノードに与えられる電圧をゲートに受け、
前記第２の差動ステージは、前記第３の出力トランジスタと前記第４の出力トランジスタとの第２の相互接続ノードにおける電圧と前記第２の入力電圧との差に応じた電圧値を有する電圧を出力し、
前記制御部は、前記第１のモードを選択しているときに、前記第１の調整トランジスタの接続状態を前記第１の接続状態にし、前記第２のモードを選択しているときに、前記第２の調整トランジスタの接続状態を第２の接続状態にし、
前記第２の調整トランジスタは、前記第２の接続状態では、前記第２の相互接続ノードと前記第４の基準ノードとの間に接続され、前記第２の電圧供給ノード与えられる電圧をゲートに受ける
ことを特徴とする駆動電圧制御装置。
【請求項１９】
請求項１５において、
前記第１の基準電圧の電圧値は前記第２の基準電圧の電圧値よりも高く、
前記第２の差動増幅回路は、
第３の基準電圧を受ける第３の基準ノードと第４の基準電圧を受ける第４の基準ノードとの間に直列に接続される第６および第７の入力トランジスタと、
前記第３の基準ノードと前記第４の基準ノードとの間に直列に接続される第８および第９の入力トランジスタと、
前記第７の入力トランジスタと前記第９の入力トランジスタとの第３の相互接続ノードと前記第４の基準ノードとの間に接続され、第２の電圧供給ノードに与えられる電圧をゲートに受ける第１０の入力トランジスタと、
第２の調整トランジスタと、
第２の出力ステージとを含み、
前記第３の基準電圧の電圧値は前記第４の基準電圧の電圧値よりも低く、
前記第６の入力トランジスタは、前記第３の基準ノードと前記第７の入力トランジスタとの間に接続され、ゲートが当該第６の入力トランジスタのドレインに接続され、
前記第７の入力トランジスタは、前記第６の入力トランジスタと前記第３の相互接続ノードとの間に接続され、前記第２の出力ステージの出力をゲートに受け、
前記第８の入力トランジスタは、前記第３の基準ノードと前記第９の入力トランジスタとの間に接続され、ゲートが前記第６の入力トランジスタのゲートに接続され、
前記第９の入力トランジスタは、前記第８の入力トランジスタと前記第３の相互接続ノードとの間に接続され、前記第２の入力電圧をゲートに受け、
前記第２の出力ステージは、前記第８の入力トランジスタと前記第９の入力トランジスタとの第４の相互接続ノードにおける電圧に応じた電圧値を有する電圧を出力し、
前記制御部は、前記第１のモードを選択しているときに、前記第１の調整トランジスタの接続状態を前記第１の接続状態にし、前記第２のモードを選択しているときに、前記第２の調整トランジスタの接続状態を第２の接続状態にし、
前記第２の調整トランジスタは、前記第２の接続状態では、前記第３の相互接続ノードと前記第４の基準ノードとの間に接続され、前記第２の電圧供給ノードに与えられる電圧をゲートに受ける
ことを特徴とする駆動電圧制御装置。
【請求項２０】
第１の電圧を駆動して第３の電圧とする工程と、
第２の電圧を駆動して第４の電圧とする工程と、
第３の電圧と第４の電圧を交互に切り替え、かつ、切り替えの時から所定期間は駆動能力を高めて負荷に出力する工程とを備える
ことを特徴とする液晶パネル駆動方法。
【請求項２１】
請求項２０において、
前記所定期間は、負荷へ出力された電圧が所定電圧に達した時までである
ことを特徴とする液晶パネル駆動方法。
【手続補正２】
【補正対象書類名】明細書
【補正対象項目名】発明の名称
【補正方法】変更
【補正の内容】
【発明の名称】駆動電圧制御装置および液晶パネル駆動方法